(57)【特許請求の範囲】
【請求項１】
不成立となった通話に対応する呼である通話不成立呼における発信元の電話番号である第１電話番号と該通話不成立呼における発信先の電話番号である第２電話番号と該発信元からのメッセージとを含むメッセージデータが記憶されるメッセージデータ記憶手段と、
新たな呼における発信先の電話番号に等しい第１電話番号と該呼における発信元の電話番号に等しい第２電話番号とを含むメッセージデータを前記メッセージデータ記憶手段から検索するメッセージデータ検索手段と、
該メッセージデータ検索手段により検索されたメッセージデータからメッセージを読み出し、該呼の発信元に該メッセージを送信するメッセージ送信手段と、
新たな呼における発信先を呼び出している間に該呼の発信元から切断がなされたなら、または、発信先が呼び出しに応答しなかったなら、該発信元を呼び出す手段を備え、
前記メッセージデータ検索手段は、
該発信元が該呼び出しに応答したならメッセージデータを検索する
ことを特徴とするメッセージ送信装置。
【請求項２】
前記通話不成立呼における発信元の電話番号を該通話不成立呼における発信先から該発信元への呼が発生するように通知する手段
を備えることを特徴とする請求項１記載のメッセージ送信装置。
【発明の詳細な説明】
【技術分野】
【０００１】
本発明は、メッセージ送信装置に関するものである。
【背景技術】
【０００２】
従来にあっては、（Ａ）電話に応答できないユーザの音声メッセージを予めサーバで記憶し、そのユーザへの電話の際にサーバが相手に音声メッセージを再生するという電話システムが知られている（例えば、特許文献１を参照）。
【０００３】
また、（Ｂ）ユーザが相手との電話での会話に関する音声メモを電話端末に記憶し、相手から再び電話があった際、ユーザが会話の内容を思い出せるように、電話端末が音声メモを再生するという、そのような電話端末が知られている（例えば、特許文献２を参照）。
【先行技術文献】
【特許文献】
【０００４】
【特許文献１】特開２００５−２１７５７０号公報
【特許文献２】特開平４−１８８４０号公報
【発明の概要】
【発明が解決しようとする課題】
【０００５】
しかしながら、上記（Ａ）の技術は、音声メッセージを相手別に記憶して再生するものでないため、例えば、相手が電話に応答できなかったときに記憶したメッセージを、相手からの折り返しの電話の際に再生し相手に聞かせることができなかった。
【０００６】
また、上記（Ｂ）の技術では、音声メモはユーザにしか聞こえないので、折り返しの電話であっても、相手は音声を聞くことができなかった。
【０００７】
つまり、従来においては、以下のような不都合があった。
【０００８】
ある電話端末（発信元という）と相手の電話端末（発信先という）との通話が、発信先の無応答などで不成立となり、その後、発信先からの折り返しがあっても、不成立となった通話で発信元から送信されたであろう会話の内容を、発信先では知ることができない。
【０００９】
例えば、会話の内容をメッセージとして記憶しておき、折り返しの際、発信先でメッセージを聞ければ便利である。
【００１０】
本発明は、上記に鑑みてなされたもので、その目的は、通話不成立の際に記憶した発信元のメッセージを発信先へ、折り返しの際に送信できるメッセージ送信装置を提供することにある。
【課題を解決するための手段】
【００１１】
上記の課題を解決するために、本発明に係るメッセージ送信装置は、不成立となった通話に対応する呼である通話不成立呼における発信元の電話番号である第１電話番号と該通話不成立呼における発信先の電話番号である第２電話番号と該発信元からのメッセージとを含むメッセージデータが記憶されるメッセージデータ記憶手段と、新たな呼における発信先の電話番号に等しい第１電話番号と該呼における発信元の電話番号に等しい第２電話番号とを含むメッセージデータを前記メッセージデータ記憶手段から検索するメッセージデータ検索手段と、該メッセージデータ検索手段により検索されたメッセージデータからメッセージを読み出し、該呼の発信元に該メッセージを送信するメッセージ送信手段とを備えることを特徴とする。
【００１２】
例えば、前記メッセージ送信装置は、前記通話不成立呼における発信元の電話番号を該通話不成立呼における発信先から該発信元への呼が発生するように通知する手段を備える。
【００１３】
例えば、前記メッセージ送信装置は、予め定めた電話番号が記憶される電話番号記憶手段と、新たな呼における発信元の電話番号が前記電話番号記憶手段にあるか否かを判定し、該電話番号が前記電話番号記憶手段にあるなら、該呼が通話不成立呼になったか否かを判定し、該呼が通話不成立呼になったなら、該通話不成立呼における発信元の電話番号である第１電話番号と該通話不成立呼における発信先の電話番号である第２電話番号と該発信元からのメッセージとを含むメッセージデータを生成し、前記メッセージデータ記憶手段に記憶させる手段とを備える。
【００１４】
例えば、前記メッセージ送信装置は、新たな呼における発信先を呼び出している間に該呼の発信元から切断がなされたなら、または、発信先が呼び出しに応答しなかったなら、該発信元を呼び出す手段を備え、前記メッセージデータ検索手段は、該発信元が該呼び出しに応答したならメッセージデータを検索する。
【００１５】
例えば、前記メッセージ送信装置は、新たな呼における発信先の呼び出しが可能か否かを判定する手段を備え、前記メッセージデータ検索手段は、該発信先の呼び出しが不可能と判定されたならメッセージデータを検索する。
【００１６】
例えば、前記メッセージ送信装置は、前記メッセージの送信後に、前記新たな呼における発信元から送信される制御信号の有無に対応するように、発信先の呼び出しを行うまたは呼び出しを中止する手段を備える。
【発明の効果】
【００１７】
本発明によれば、通話不成立の際に記憶した発信元のメッセージを発信先へ、折り返しの際に送信することができる。
【図面の簡単な説明】
【００１８】
【図１】本実施の形態に係るメッセージ送信装置を含む電話システムの構成図である。
【図２】電話番号記憶部１２の構成と内容の例を示す図である。
【図３】メッセージキー記憶部１３の構成と内容の例を示す図である。
【図４】メッセージデータ記憶部２３の構成と内容の例を示す図である。
【図５】ＳＩＰサーバ１、メッセージサーバ２および電話端末におけるやりとりの一例を示すシーケンス図である。
【図６】ＳＩＰサーバ１における処理の順序の一例を示すフローチャートである。
【図７】ＳＩＰサーバ１における処理の順序についての別な一例を示すフローチャートである。
【発明を実施するための形態】
【００１９】
以下、本発明の実施の形態について説明する。
【００２０】
図１は、本実施の形態に係るメッセージ送信装置を含む電話システムの構成図である。
【００２１】
電話システムは、セッションイニシエーションプロトコル（ＳＩＰ）による通信の制御を行うサーバ（以下、ＳＩＰサーバという）１と、ＳＩＰサーバ１の制御によりメッセージを記憶および送信するメッセージサーバ２とを備える。
【００２２】
ＳＩＰサーバ１およびメッセージサーバ２は、例えば、電話端末Ｂから電話端末Ａへの呼が発生したにも関わらず通話が不成立になったなら、電話端末Ｂから送信されるユーザβの音声のメッセージを記憶し、電話端末Ａから電話端末Ｂへの呼（いわゆる折り返し呼）が発生したなら、メッセージを電話端末Ａに送信し、ユーザαに聞かせるというサービスを行うメッセージ送信装置の１つの具体例である。
【００２３】
つまり、ＳＩＰサーバ１およびメッセージサーバ２は、不成立となった通話に対応する呼（通話不成立呼という）における発信元（電話端末Ｂ）からのメッセージを記憶し、通話不成立呼における発信先からの呼（折り返し呼）が発生したなら、通話不成立呼における発信先（折り返し呼の発信元）へメッセージを送信する。
【００２４】
各ＳＩＰサーバ１およびメッセージサーバ２は、電話端末Ａ、Ｂを含む複数の携帯用の電話端末（電話端末Ａ、Ｂ以外は図示せず）と通信可能になっている。
【００２５】
ユーザβのように、メッセージを送信する側のユーザは、本サービスについての契約者となる必要があるが、ユーザαのように、メッセージを受信する側のユーザについては、本サービスの契約については不問となっている。
【００２６】
ＳＩＰサーバ１は、呼の処理およびメッセージの記憶および送信に関わる制御を行うＳＩＰ処理部１１と、ユーザβのような契約者に使用される電話端末の電話番号を記憶する電話番号記憶部１２と、通話不成立呼における発信元の電話番号である第１電話番号と該通話不成立呼における発信先の電話番号である第２電話番号とを含む情報（メッセージキーという）が記憶されるメッセージキー記憶部１３と、メッセージサーバ２との連携を行うメッセージサーバ連携部１４を備える。
【００２７】
メッセージサーバ２は、ＳＩＰサーバ１との連携を行うＳＩＰサーバ連携部２１と、メッセージキーとメッセージとを含むメッセージデータを生成するメッセージデータ生成部２２と、メッセージデータが記憶されるメッセージデータ記憶部２３と、メッセージの送受信を行うメッセージ送受信部２４を備える。
【００２８】
図２は、電話番号記憶部１２の構成と内容の例を示す図である。
【００２９】
電話番号記憶部１２には、ユーザβのような契約者のそれぞれについて、該契約者に使用される電話端末の電話番号が記憶される。
【００３０】
図３は、メッセージキー記憶部１３の構成と内容の例を示す図である。
【００３１】
メッセージキー記憶部１３には、通話不成立呼における発信元からのメッセージのそれぞれについて、該通話不成立呼における発信元の電話番号である第１電話番号と該通話不成立呼における発信先の電話番号である第２電話番号とを含むメッセージキーが記憶される。
【００３２】
図４は、メッセージデータ記憶部２３の構成と内容の例を示す図である。
【００３３】
メッセージデータ記憶部２３には、各メッセージキー（第１電話番号および第２電話番号）について、該メッセージキーおよび該メッセージキーに対応するメッセージの実体である音声ファイルを含むメッセージデータが記憶される。
【００３４】
図３に示す１つのメッセージキー（第１電話番号および第２電話番号）ならびに該メッセージキーを含む図４に示す１つメッセージデータ内の音声ファイルをあわせてメッセージデータと称してもよい。
【００３５】
（本実施の形態における動作）
図５は、ＳＩＰサーバ１、メッセージサーバ２および電話端末におけるやりとりの一例を示すシーケンス図である。図５は、電話端末については、電話端末Ａ、Ｂを例にした図となっている。
【００３６】
図６は、ＳＩＰサーバ１における処理の順序の一例を示すフローチャートである。
【００３７】
例えば、ユーザβがユーザαにいわゆる電話をかけるべく電話端末Ｂを操作すると、電話端末ＢからＳＩＰサーバ１への信号（以下、呼という）が発生する（図５：Ｓ１）。呼は、発信元である電話端末Ｂの電話番号と発信先である電話端末Ａの電話番号を含む。
【００３８】
図６において、ＳＩＰ処理部１１は、このように、いずれかの電話端末から呼を受信したなら、呼から発信元の電話番号を取り出し、当該電話番号が電話番号記憶部１２にあるか否かを判定する（Ｓ１０１）。
【００３９】
ＳＩＰ処理部１１は、電話番号が電話番号記憶部１２にない（Ｓ１０１：ＮＯ）なら、呼から発信先の電話番号を取得し、当該電話番号が電話番号記憶部１２にあるか否かを判定する（Ｓ１０３）。
【００４０】
ＳＩＰ処理部１１は、電話番号が電話番号記憶部１２にない（Ｓ１０３：ＮＯ）なら、呼処理を行い（Ｓ１０５）、処理を終了する。この呼処理により、例えば、電話端末Ａ、Ｂ間で通話が成立する。
【００４１】
一方、ＳＩＰ処理部１１は、電話番号が電話番号記憶部１２にある（Ｓ１０１：ＹＥＳ）なら、呼から発信先の電話番号を取り出し、該発信先の電話番号に等しい第１電話番号とステップＳ１０１で取り出した発信元の電話番号に等しい第２電話番号を含むメッセージキーがメッセージキー記憶部１３にあるか否かを判定する（Ｓ１０７）。
【００４２】
ＳＩＰ処理部１１は、メッセージキーがメッセージキー記憶部１３にない（Ｓ１０７：ＮＯ）なら、発信先の電話番号に対応する電話端末（図５では電話端末Ａ）の呼び出しを試みる。そして、ＳＩＰ処理部１１は、電話端末Ａが使用中（話中）またはユーザαがいないことなどにより呼び出しに応答できない、もしくは、電話端末Ｂが無線の呼び出し信号の受信圏外にあるまたは起動されておらず呼び出し信号を受信できないといったように、電話端末Ａ、Ｂ間で通話が不成立となる状況であるか否かを判定する（Ｓ１０９）。
【００４３】
ＳＩＰ処理部１１は、電話端末間で通話が成立する状況であるなら（Ｓ１０９：ＮＯ）、呼処理を行う（Ｓ１０５）、処理を終了する。この呼処理により、例えば、電話端末Ａ、Ｂ間で通話が成立する。
【００４４】
一方、ＳＩＰ処理部１１は、電話端末間で通話が不成立する状況であるなら（Ｓ１０９：ＹＥＳ）、メッセージサーバ連携部１４を通じて、メッセージサーバ２と電話端末Ｂに信号を送信し（図５：Ｓ３、Ｓ５）、電話端末Ｂをメッセージサーバ２へ接続させる（図６：Ｓ１１１）
メッセージサーバ２との接続は、メッセージサーバ２にメッセージを記憶させるためのものであり、この際、ＳＩＰ処理部１１は、発信元の電話番号である第１電話番号と、発信先の電話番号である第２電話番号とを含むメッセージキーを生成し、メッセージキーをメッセージサーバ連携部１４を通じて、メッセージサーバ２に送信する。
【００４５】
ＳＩＰ処理部１１は、また、このメッセージキーをメッセージキー記憶部１３に記憶させる（Ｓ１１３）。
【００４６】
次に、ＳＩＰ処理部１１は、発信先の電話端末Ａに対し、発信元の電話番号を通知し（図５：Ｓ７、図６：Ｓ１１５）、処理を終了する。
【００４７】
この通知は、当該電話番号を有する電話端末へのいわゆる折り返し電話を要求するものである。この通知の方法としては、例えば、電話端末Ａが話中であっても見ることができる文字表示によるもの、電話端末Ａが受信圏内に入ったまたは起動され、所定の操作を行えば、速やかに知ることができるような、例えば、いわゆる電子メールのようなものが考えられる。
【００４８】
メッセージサーバ２のＳＩＰサーバ連携部２１は、電話端末Ｂと接続した（図６：Ｓ１１１）なら、メッセージ送受信部２４に指示を行い、これにより、メッセージ送受信部２４は、電話端末Ｂに対し、例えば、メッセージの送信を促すガイダンスを送出する。これに対し、ユーザβが電話端末Ｂに発話し、その内容を示す音声信号（メッセージ）が送信されたなら（図５：Ｓ９）、メッセージ送受信部２４は、音声信号を音声ファイルに変換し、メッセージデータ生成部２２に供する。
【００４９】
メッセージデータ生成部２２は、ＳＩＰサーバ１から送信されたメッセージキーをＳＩＰサーバ連携部２１を通じて受け取り、該メッセージキーおよび当該音声ファイルを含むメッセージデータを生成し、メッセージデータ記憶部２３に記憶させる（図５：Ｓ１１）。
【００５０】
さて、ユーザαが、図５のステップＳ７の通知を見るなどして、ユーザβから電話があったことを知り、ユーザβにいわゆる折り返し電話をかけるべく電話端末Ａを操作すると、電話端末ＡはＳＩＰサーバ１に呼（折り返し呼）を送信する（図５：Ｓ２１）。呼は、発信元である電話端末Ａの電話番号と発信先である電話端末Ｂの電話番号を含む。
【００５１】
図６において、ＳＩＰ処理部１１は、前述のように、発信元の電話番号が電話番号記憶部１２にあるか否かを判定する（Ｓ１０１）。
【００５２】
ＳＩＰ処理部１１は、前述のように、電話番号が電話番号記憶部１２にない（Ｓ１０１：ＮＯ）なら、発信先の電話番号が電話番号記憶部１２にあるか否かを判定する（Ｓ１０３）。
【００５３】
ＳＩＰ処理部１１は、電話番号が電話番号記憶部１２にある（Ｓ１０３：ＹＥＳ）なら、ステップＳ１０７と同様に、ステップＳ１０３で取り出した発信先の電話番号に等しい第１電話番号とステップＳ１０１で取り出した発信元の電話番号に等しい第２電話番号を含むメッセージキーがメッセージキー記憶部１３にあるか否かを判定する（Ｓ１２１）。
【００５４】
ＳＩＰ処理部１１は、メッセージキーがメッセージキー記憶部１３にない（Ｓ１２１：ＮＯ）なら、呼処理を行い（Ｓ１０５）、処理を終了する。この呼処理により、例えば、電話端末Ａ、Ｂ間で通話が成立する。
【００５５】
一方、ＳＩＰ処理部１１は、メッセージキーがメッセージキー記憶部１３にある（Ｓ１２１：ＹＥＳ）なら、または、ステップＳ１０７でメッセージキーがメッセージキー記憶部１３にあると判定されたなら、つまり、発信元の電話番号が電話番号記憶部１２にあるか否かに関わらず、発信先の電話番号に等しい第１電話番号と発信元の電話番号に等しい第２電話番号を含むメッセージキーがメッセージキー記憶部１３にあるなら、発信先が話中、受信圏外または起動されていないかを判定する（Ｓ１２３）。
【００５６】
ＳＩＰ処理部１１は、発信先が話中、受信圏外または起動されていないのいずれでもないなら（ステップＳ１２３：ＮＯ）、発信先の電話端末Ａの呼び出しを試みる。この呼び出しは、一定期間継続的に行われ、その際、ＳＩＰ処理部１１は、呼び出しに応答がなされたか否かと、発信元の電話端末Ａがオンフック操作されるなどして、呼が切断されたか否かを判定する（Ｓ１２５）。
【００５７】
ＳＩＰ処理部１１は、発信先の電話端末Ａが一定期間において呼び出しに応答できたなら（Ｓ１２５：ＹＥＳ）、呼処理を行い（Ｓ１０５）、処理を終了する。この呼処理により、例えば、電話端末Ａ、Ｂ間で通話が成立する。
【００５８】
ＳＩＰ処理部１１は、一定期間に呼が切断されたなら、または、応答がないまま一定期間が経過したなら（Ｓ１２５：ＮＯ）、発信元の電話端末Ａの呼び出しを試み（Ｓ１２７）、この呼び出しに電話端末Ａが応答したかを判定する（Ｓ１２９）。
【００５９】
ＳＩＰ処理部１１は、電話端末Ａが応答しなかったなら（Ｓ１２９：ＮＯ）、処理を終了する。
【００６０】
一方、ＳＩＰ処理部１１は、電話端末Ａが応答したなら（Ｓ１２９：ＹＥＳ）、または、ステップＳ１２３で発信先が話中、受信圏外または起動されていないのいずれかであると判定されたなら、メッセージサーバ連携部１４を通じて、メッセージサーバ２と電話端末Ａに信号を送信し（図５：Ｓ２３、Ｓ２５）、電話端末Ａをメッセージサーバ２に接続させ（図６：Ｓ１３１）、処理を終了する。
【００６１】
メッセージサーバ２との接続は、メッセージサーバ２からメッセージを送信させるためのものであり、この際、ＳＩＰ処理部１１は、発信先の電話番号に等しい第１電話番号と発信元の電話番号に等しい第２電話番号を含むメッセージキーをメッセージキー記憶部１３から検索し、該メッセージキーをメッセージサーバ連携部１４を通じて、メッセージサーバ２に送信する。
【００６２】
メッセージサーバ２のＳＩＰサーバ連携部２１は、電話端末Ａと接続した（図６：Ｓ１３１）なら、メッセージ送受信部２４に指示を行い、これにより、メッセージ送受信部２４は、ＳＩＰサーバ１から送信されたメッセージキーを含むメッセージデータをメッセージデータ記憶部２３から検索する（図５：Ｓ２７）。メッセージ送受信部２４は、該メッセージデータ内の音声ファイルを音声信号に変換し、電話端末Ａに送信し（図５：Ｓ２９）、該メッセージデータをメッセージデータ記憶部２３から削除する。
【００６３】
電話端末Ａは、送信された音声信号を音声に変換する。これにより、ユーザαは、音声つまりユーザβのメッセージを聞くことができる。
【００６４】
したがって、本実施の形態によれば、メッセージ送信装置つまりＳＩＰサーバ１およびメッセージサーバ２は、不成立となった通話に対応する呼である通話不成立呼における発信元の電話番号である第１電話番号と該通話不成立呼における発信先の電話番号である第２電話番号と該発信元からのメッセージとを含むメッセージデータつまりメッセージキーおよび音声ファイルが記憶されるメッセージデータ記憶手段つまりメッセージキー記憶部１３およびメッセージデータ記憶部２３と、
新たな呼における発信先の電話番号に等しい第１電話番号と該呼における発信元の電話番号に等しい第２電話番号とを含むメッセージデータを前記メッセージデータ記憶手段から検索するメッセージデータ検索手段つまりＳＩＰ処理部１１におけるステップＳ１０７またはステップＳ１２１の処理手段およびメッセージ送受信部２４におけるステップＳ２７の処理手段と、
該メッセージデータ検索手段により検索されたメッセージデータからメッセージを読み出し、該呼の発信元に該メッセージを送信するメッセージ送信手段つまりメッセージ送受信部２４におけるステップＳ２９の処理手段と
を備えるので、通話不成立の際に記憶した発信元のメッセージを発信先へ、折り返しの際に送信することができる。
【００６５】
また、メッセージ送信装置は、通話不成立呼における発信元の電話番号を該通話不成立呼における発信先から該発信元への呼が発生するように通知する手段つまりＳＩＰ処理部１１におけるステップＳ７の処理手段を備えるので、この発信元の電話番号により、発信先から発信元への折り返しが可能になる。
【００６６】
また、メッセージ送信装置は、予め定めた電話番号が記憶される電話番号記憶手段つまり電話番号記憶部１２と、
新たな呼における発信元の電話番号が前記電話番号記憶手段にあるか否かを判定し（Ｓ１０１）、該電話番号が前記電話番号記憶手段にあるなら（Ｓ１０１：ＹＥＳ）、該呼が通話不成立呼になったか否かを判定し（Ｓ１０９）、該呼が通話不成立呼になったなら（Ｓ１０９：ＹＥＳ）、該通話不成立呼における発信元の電話番号である第１電話番号と該通話不成立呼における発信先の電話番号である第２電話番号と該発信元からのメッセージとを含むメッセージデータを生成し（Ｓ１１３）、前記メッセージデータ記憶手段に記憶させる手段つまりＳＩＰ処理部１１におけるステップＳ１０１、Ｓ１０９およびＳ１１３の処理手段およびメッセージデータ生成部２２におけるステップＳ１１の処理手段とを備えるので、ユーザαのように、メッセージを受信する側のユーザについては、本サービスの契約については不問とすることができる。
【００６７】
また、メッセージ送信装置は、新たな呼における発信先を呼び出している間に該呼の発信元から切断がなされたなら、または、発信先が呼び出しに応答しなかったなら（Ｓ１２５：ＮＯ）、該発信元を呼び出す（Ｓ１２７）手段つまりＳＩＰ処理部１１におけるステップＳ１２７の処理手段を備え、前記メッセージデータ検索手段は、該発信元が該呼び出しに応答したならメッセージデータを検索する、つまり、電話端末Ａの応答（Ｓ１２９：ＹＥＳ）を経て、メッセージサーバ２への接続（Ｓ１３１）の際に、ＳＩＰ処理部１１が該当のメッセージキーを検索し、メッセージ送受信部２４が該当のメッセージデータを検索するので、発信先が応答せずまたは発信元のユーザが呼び出しを止め、且つ、発信元がメッセージ送信装置からの呼び出しに応答した場合に、メッセージを送信することができる。
【００６８】
また、メッセージ送信装置は、新たな呼における発信先の呼び出しが可能か否かを判定する手段つまりＳＩＰ処理部１１におけるステップＳ１２３の処理手段を備え、前記メッセージデータ検索手段は、該発信先の呼び出しが不可能（Ｓ１２３：ＮＯ）と判定されたならメッセージデータを検索する、つまり、メッセージサーバ２への接続（Ｓ１３１）の際に、ＳＩＰ処理部１１が該当のメッセージキーを検索し、メッセージ送受信部２４が該当のメッセージデータを検索するので、発信先の呼び出しが省略され、メッセージを迅速に送信することができる。
【００６９】
なお、本実施の形態では、発信先の電話端末Ａを呼び出すも呼び出しに応答できなかったなら（Ｓ１２５：ＮＯ）、呼び出しを中止し、発信元の電話端末を呼び出し（Ｓ１２７）、この呼び出しに電話端末が応答したなら（Ｓ１２９：ＹＥＳ）、電話端末をメッセージサーバ２に接続させ（Ｓ１３１）、これにより、メッセージを聞くことができたが、以下のようにしてもよい。
【００７０】
図７は、ＳＩＰサーバ１における処理の順序についての別な一例を示すフローチャートである。
【００７１】
ＳＩＰ処理部１１は、発信先が話中、受信圏外または起動されていないのいずれでもないなら（ステップＳ１２３：ＮＯ）、電話端末Ａをメッセージサーバ２に接続させる（Ｓ１４１）。これにより、前述のように、該当のメッセージデータが検索され、該メッセージデータ内の音声ファイルが音声信号に変換され、音声信号が送信され、該音声信号が音声に変換され。これにより、メッセージを聞くことができる。なおメッセージデータは削除される。
【００７２】
次に、ＳＩＰ処理部１１は、発信元の電話端末Ａから、発信先の電話端末Ｂとの接続を希望する旨の制御信号が送信されたか否かを判定する（Ｓ１４３）。例えば、メッセージを聞いたユーザαがユーザβと会話すべく電話端末Ａを操作すると当該制御信号が送信される。
【００７３】
ＳＩＰ処理部１１は、制御信号が送信されたなら（Ｓ１４３：ＹＥＳ）、呼処理を行い（Ｓ１０５）、処理を終了する。この呼処理により、例えば、電話端末Ａ、Ｂ間で通話が成立する。
【００７４】
一方、ＳＩＰ処理部１１は、制御信号が送信されていないなら（Ｓ１４３：ＮＯ）、呼を切断し（Ｓ１４５）、処理を終了する。
【００７５】
なお、ここで説明した処理以外については、本実施の形態のものと同様なので、その説明を省略する。
【００７６】
したがって、図６の処理では、発信先の電話端末Ａが呼び出しに応答したなら（Ｓ１２５：ＹＥＳ）、メッセージを聞くことができないが、上記のように、予めメッセージを送信させる（Ｓ１４１）ことで、そのような不都合が防止できる。
【００７７】
また、メッセージの送信後、新たな呼における発信元から送信される制御信号の有無に対応するように、発信先の呼び出しを行うまたは呼び出しを中止するので、ユーザαなどは忙しさなどに応じて、ユーザβとの会話を行うか否かを選択することができる。例えば、メッセージの内容で十分なら会話をせず時間浪費を回避できる。または、メッセージの内容で不十分ならこれを会話で補うことができる。
【００７８】
つまり、メッセージ送信装置は、メッセージの送信後に、新たな呼における発信元から送信される制御信号の有無に対応するように、発信先の呼び出しを行うまたは呼び出しを中止する手段つまりＳＩＰ処理部１１におけるステップＳ１４３を備えるので、上記のようなユーザαによるメリットの選択が可能になる。
【符号の説明】
【００７９】
１  ＳＩＰサーバ
２  メディアサーバ
１１  ＳＩＰ処理部１１
１２  電話番号記憶部
１３  メッセージキー記憶部
１４  メッセージサーバ連携部
２１  ＳＩＰサーバ連携部
２２  メッセージデータ生成部
２３  メッセージデータ記憶部
２４  メッセージ送受信部
Ａ、Ｂ  電話端末
【図１】
0005530722.tif 000002
【図２】
0005530722.tif 000003
【図３】
0005530722.tif 000004
【図４】
0005530722.tif 000005
【図５】
0005530722.tif 000006
【図６】
0005530722.tif 000007
【図７】
0005530722.tif 000008